(57)【要約】      （修正有）【課題】簡単な構造で且つ安価に流体磁気処理装置を提供する。【解決手段】燃料供給経路を流動する燃料中に含まれるイオン化分子のクラスターは、流体磁気処理装置によって形成される強力磁界を連続的に、例えばＮ・Ｓの異極乃至Ｎ・Ｎ及びＳ・Ｓ同極のように対向する磁界に、交互に印加され、さらに外装内空隙内包の微量放射性物質の流体に及ぼす電磁波を同時に印加せしめ、複合的にイオン化を加速させ流動することにより、ローレンツ力をうける、そのためにクラスターは、正イオンと負イオンとに解離され１種のプラズマ状態となって微粒子化する。【選択図】図１
0003128743.tif 000002
【実用新案登録請求の範囲】
【請求項１】
流体流導管に、異なる極性の磁極面を対向させ、発生する磁力線が流体に直交する方向であり、少なくとも１対の永久磁石で構成される流体磁気処理装置であって、設定された強度の磁界が流体を挟んで互いに作用することによって、同流体に励起する起電力による印加を特徴とする、流体磁気処理装置。
【請求項２】
流体流導管に、同じ極性の磁極面を対向させ、発生する磁力線が流体に直交する方向であり、少なくとも１対の永久磁石で構成される流体磁気処理装置であって、設定された強度の磁界が流体を挟んで互いに作用することによって、同流体に励起する起電力による印加を特徴とする、流体磁気処理装置。
【請求項３】
流体流導管に、異なる極性乃至同極性の磁極面を対向させ、螺旋状に複数の磁石を配し固着して構成される流体磁気処理装置であって、発生する磁力線が流体に直交する方向であり、設定された強度の磁界が流体を挟んで互いに作用することによって、同流体に励起する起電力による印加を特徴とする、流体磁気処理装置。
【請求項４】
流体流導管の経路を扁平互角９０度の交互に複数配置し、該経路すべてに異なる極性乃至同極性の磁極面を対向させ固着して構成される、流体磁気処理装置であって、該経路に発生する磁力線が流体に直交する方向であり、設定された強度の磁界が流体を挟んで互いに作用することによって、同流体に励起する起電力により印加して成る流体磁気処理装置であり、該装置をゲルマニウムで蔽い電気的絶縁体を具備した構成であることを特徴とする、流体磁気処理装置。
【請求項５】
流体流導管の経路を扁平互角９０度の交互に複数配置し、該経路すべてに異なる極性乃至同極性の磁極面を対向させ固着して構成される、流体磁気処理装置であって、該経路に発生する磁力線が流体に直交する方向であり、設定された強度の磁界が流体を挟んで互いに作用することによって、同流体に励起する起電力により印加して成る流体磁気処理装置であり、該装置を筒状体で外装し、該装置と筒状体内空隙に微量放射性物質を充填し、該充填組成体に微量放射性物質の３７０Ｂｑ毎グラム以内であり、ラジウム、トリウム、セレニウム、コバルト、ゲルマニウムの何れか２種類以上の鉱石乃至セラミックスを含み、産生する電磁波を複合的に同流体に印加せしめ、該筒状外装部材組成を磁気及び電磁波漏れを防止する為の、遮蔽組成体を具備した構成であることを特徴とする、流体磁気処理装置。
【考案の詳細な説明】
【技術分野】
【０００１】  本考案は、磁石より発生する磁気及びイオンを応用した磁気処理に関するものである。
【背景技術】
【０００２】  従前、磁気処理装置として、例えば水の磁気処理装置や燃料の磁気処理装置が既に知られている。【０００３】  水乃至燃料に、磁気力の印加により処理するようにした場合、次のような作用がある。【０００４】  スケールの付着防止作用、磁気力の印加により水がイオン化し、その影響によりスケールの基になる水中のカルシウム、シリカその他の溶質成分がコロイド状になる。このため管内壁等で結晶スケールにならずスラッジ状になって浮遊し、水流によって容易に洗い流すことができるようになる。したがって管内壁面を常に清浄な状態に保つことができる。【０００５】  ガス、揮発油、灯油、軽油、重油等の燃料を磁気力の印加により処理するようにした場合、磁界内を燃料が通過する際に、燃料を構成する分子や粒子等の正負の電荷、スピン、磁気モーメント、双極子モーメント等の分子特性による種々の挙動に変化を与えることができ、分子や粒子の相互の親和力もしくは疑結力が平均化されて燃焼効率を向上させることができる。その結果、燃料の節約が可能となり、またＮＯｘも低減される（特許文献１参照）。【０００６】
【特許文献１】  特開昭５７−１２２２１６号公報
【考案の開示】
【考案が解決しようとする課題】
【０００７】  簡単な構造で且つ安価に流体磁気処理装置を提供し、該流体磁気処理装置において、流体に分子レベルの電磁波乃至磁気力を印加して、流体を小分子集団化し、並びに、液体燃料などの炭素間結合を解離小分子化することにより、本来持っている好ましい特性を引き出し、燃費を踏まえ燃焼の質的向上を図ることを目的とするものである。
【課題を解決するための手段】
【０００８】  本考案は、前記課題を解決するための手段として、燃料供給経路を流動する燃料中に含まれるイオン化分子のクラスターは、流体磁気処理装置によって形成される磁界を連続的に、例えばＮ・Ｓの異極乃至Ｎ・Ｎ及びＳ・Ｓ同極のように対向する磁界に交互に印加され、同時に流体磁気処理装置の外装内空隙に、内包する微量放射性物質で、その成分組成体に微量放射性物質の３７０Ｂｑ毎グラム以内であり、ラジウム、トリウム、セレニウム、コバルト、ゲルマニウムの何れか２種類以上のイオン処理が可能な鉱石乃至セラミックスを含み、これより産生する電磁波を同時に印加せしめ、複合的にイオン化を加速させて流動することによりローレンツ力をうけるよう構成するものである、そのためクラスターは正イオンと負イオンとに解離され１種のプラズマ状態となって微粒子化する、したがって微粒子化した燃料の表面積が増大します、すなわち気液接触面積が増えて酸化しやすくなると共に、内燃機関燃焼室において霧状に広がり、火炎燃焼伝達速度を速くする、したがって燃焼を良好なものとすることができ、完全燃焼させることが可能としたものである。【０００９】  流体磁気処理装置にして、流体流入管経路の形状が扁平にして流体導入する該経路を望ましくは、扁平経路互角９０度を交互に複数配置し構成したもので、異なる極性乃至同極性の磁極面をすべての扁平経路に対向し固着した、発生する磁力線が流体に直交する方向であって、設定された磁束密度４５０ｍＴと対向する同じ４５０ｍＴの磁界が流体を挟んで構成される、相互対向磁場の面的作用によりローレンツ力を最大限に印加せしめる、したがって同流体に励起する起電力による流体改質を図るものである、さらに該装置の安全性を踏まえゲルマニウムで蔽い電気的絶縁体として構成したものである、ほかに安全、機能性の更なる質的向上を図り、丸みを帯びた筒状体で外装具備した、当該外装内空隙に微量放射性物質を充填し、該充填組成体に微量放射性物質の３７０Ｂｑ毎グラム以内であり、ラジウム、トリウム、セレニウム、コバルト、ゲルマニウムの何れか２種類以上のイオン処理が可能な鉱石乃至セラミックスを含み、是より産生する電磁波を複合的に印加せしめる構成で、該筒状外装部材組成を磁気乃至電磁波漏れを防止する為の、磁気及び電磁波遮蔽組成体を具備した、流体磁気処理装置であることを特徴としたものである。
【考案の効果】
【００１０】  本考案による、流体磁気処理装置を流出した磁気処理済液体燃料は、その磁気処理と同時にイオン化処理が可能な多元素が共存する、微量放射性物質で、その成分組成体に微量放射性物質の、３７０Ｂｑ毎グラム以内であって、ラジウム、トリウム、セレニウム、コバルト、ゲルマニウムの何れか２種類以上のイオン処理が可能な鉱石乃至セラミックスを含み、これより産生する電磁波を同時に印加されるので、複合的にイオン化を加速させて流動することによりローレンツ力を受ける、そのためクラスターは、正イオンと負イオンとに解離され１種のプラズマ状態となって微粒子化する、したがって微粒子化した燃料の表面積が増大するので、液体燃料の炭素間結合を解離することが可能となり、炭素分子の小分団化が達成される、すなわち完全燃焼を容易にすることにより、燃費を踏まえ燃焼の質的向上を図ることができ、有害ガスの排出が低減できるなど大きな特徴を奏するものとなる。
【考案の実施するための最良の形態】
【００１１】  該考案は、流体磁気処理装置にして、流体流導管形状が扁平にして流導した該経路を望ましくは扁平経路互角９０度を交互に複数配置し、異なる極性乃至同極性の磁極面をすべての扁平経路に対向固着し構成する、発生する磁力線が流体に直交する方向であって、設定された磁束密度４５０ｍＴと対向する４５０ｍＴの磁界が流体を挟んで相互に面的作用せしめる、したがって同流体に励起する起電力による改質を図るものである、さらに該装置の安全性を踏まえゲルマニウムで蔽い電気的絶縁体とし、丸みを帯びた筒状体で外装し形状的安全性を具備した構成で、さらに該外装内空隙に微量放射性物質を充填し、その成分組成体に微量放射性物質の３７０Ｂｑ毎グラム以内であり、ラジウム、トリウム、セレニウム、コバルト、ゲルマニウムの何れか２種類以上のイオン処理が可能な鉱石乃至セラミックスを含み、これより産生する電磁波を同時に印加せしめた、該筒状外装部材組成を磁気及び電磁波漏れを防止する為の、遮蔽組成体を具備した構成であることを特徴とした、流体磁気処理装置であることを奏する。
【実施例】
【００１２】  当該考案の１実施例を表現したもので、下記の例によって本考案が実施例だけに限定されるものではない。【００１３】  以下、本考案に係わる実施の形態を添付図面に従って１実施例を説明する。図１は、本考案の実施形態に係わる流体磁気処理装置を示す。この流体磁気処理装置は、燃料タンクから燃料ポンプによって圧送された液体燃料は、流入口４を経て流体磁気処理装置内に導入される、導入した液体燃料は扁平経路２に於いて、異なる極性で磁気力の印加を受け、さらに扁平経路互角９０度８には所定の隙間が形成され流動を妨げない形状に成型されている、扁平経路２を通過して交互に複数の永久磁石１，６，７と配置されている。【００１４】  この構成により、燃料供給経路の流体磁気処理装置内の異なる極性の永久磁石１及び同極性永久磁石７の磁極面を扁平経路２すべてに対向固着し構成されている、該装置の発生する磁力線は流体に直交する方向であって、設定された永久磁石７磁束密度４５０ｍＴと対向する４５０ｍＴの永久磁石７の磁界が扁平経路２の流体を挟んで、交互に印加され流動することによりローレンツ力をうける、そのためクラスターは、正イオンと負イオンとに解離され１種のプラズマ状態となって微粒子化する、したがって微粒子化した燃料の表面積が増大するので、すなわち気液接触面積が増えて酸化しやすくなる、したがって同液体燃料に励起する起電力による流体改質を図るものである、さらに該装置の安全性を踏まえ、丸みを帯びた筒状外装体３で内包し、ゲルマニウムで筒状外装体３の内壁を蔽い電気的絶縁体１０とした、ほかに機能性の更なる質的向上を図り、当該外装内空隙に微量放射性物質１１を充填し、その成分組成体に微量放射性物質の３７０Ｂｑ毎グラム以内であり、ラジウム、トリウム、セレニウム、コバルト、ゲルマニウムの何れか２種類以上のイオン処理が可能な鉱石乃至セラミックスを含み、電磁波を同時に印加せしめた、該筒状外装部材組成を磁気乃至電磁波漏れを防止する為の、遮蔽組成体を具備した構成で、流体磁気処理装置の出口５を経て燃焼装置に至る。
【図面の簡単な説明】
【００１５】
【図１】本考案の実施形態に係わる流体磁気処理装置の実施例を示す横断面図である。
【図２】本考案の流体磁気処理装置の１部切欠実施例を示す斜視図である。
【符号の説明】
【００１６】  １永久磁石
２扁平経路
３筒状外装体
４流入口
５流出口
６永久磁石
７永久磁石
８扁平経路互角９０度
９外装口止め具
１０ゲルマニウム絶縁体
１１微量放射性物質
【図１】
0003128743.tif 000003
【図２】
0003128743.tif 000004